(57)【要約】【課題】  構造物施設内外に既設の排水溝を利用可能で、かつ当該排水溝の蓋を兼ねた簡易構造の防潮板により、例えば大量降雨時の雨水等を前記排水溝に誘導することができると共に、その排水溝から構造物施設内部への浸水を簡単に防止することができ、防潮板収納場所も格別に必要としない排水溝蓋兼用の防潮構造を得ることにある。【解決手段】  構造物施設内外に設けられた排水溝１の開口部における溝幅方向の少なくとも片側壁部に回動可能に軸支されて当該排水溝１の開口部を開閉する防潮板３と、この防潮板３を排水溝１の開口縁部から立ち上がる回動起立位置で保持する開き止め部材９とからなるものである。【選択図】        図１
2006336384.tif 000002
【特許請求の範囲】
【請求項１】
構造物施設内外に設けられた排水溝の開口部における溝幅方向の少なくとも片側壁部に回動可能に軸支されて当該排水溝の開口部を開閉する防潮板と、この防潮板を前記排水溝の開口縁部から立ち上がる回動起立位置で保持する開き止め部材とからなることを特徴とする排水溝蓋兼用の防潮構造。
【請求項２】
防潮板の軸支側の端縁部と当該軸支側の排水溝壁部との間には止水部材が設けられていることを特徴とする請求項１記載の排水溝蓋兼用の防潮構造。
【請求項３】
開き止め部材は、防潮板の裏面と排水溝の内壁部とに跨って屈曲・伸張可能に装架され
、前記防潮板の起立方向への回動時に当該防潮板に追従して伸張方向に動作することで、前記防潮板の回動起立位置では最大伸張状態となって当該防潮板を保持し、かつ最大伸張状態の前記開き止め部材を中途部から屈曲させることで前記防潮板が排水溝閉塞方向に回動するようになっていることを特徴とする請求項１記載の排水溝蓋兼用の防潮構造。
【請求項４】
防潮板は、その複数枚が排水溝の長手方向に隣接配置され、隣り合う防潮板間に止水部材が設けられていることを特徴とする請求項１または請求項２記載の排水溝蓋兼用の防潮構造。
【発明の詳細な説明】
【技術分野】
【０００１】
この発明は、例えばマンション等の構造物施設の内部に雨水等が浸水するのを防止する排水溝蓋兼用の防潮構造に関するものである。
【背景技術】
【０００２】
マンション等の構造物施設内外に設けられた一般的な排水溝は、その開口部にコンクリート製の蓋体を被嵌だけの暗渠構造としたものと、鉄製のスリット付き蓋体を被嵌した集水構造のものとがあり、いずれの場合も通常の降雨時には雨水が構造物施設内部に浸水してくるようなことはないが、暴風時や豪雨時などの大量降雨時には雨水が構造物施設内部に浸水してくる場合がある。その浸水防止対策として、従来は、前記排水溝の蓋体とは別の防潮専用パネルを予め用意しておき、大量降雨時にその防潮専用パネルを収納場所から運搬または引き出して建物の浸水防止個所に設置しているのが実情である。
【０００３】
なお、上記先行技術は当業者一般に知られた技術であって、文献公知発明に係るものではない。
【発明の開示】
【発明が解決しようとする課題】
【０００４】
前述のような大量降雨時における構造物施設内部への浸水防止対策として適用する従来の防潮専用パネルは、その使用時の止水性能を確保するための十分なパネル強度および支持構造としなければならず、特にその支持構造は大がかりとなって防潮専用パネルを含む全体重量が嵩むこととなり、このような防潮専用パネルはコスト高になると共に、大量降雨時などの使用に際しては、その都度、収納場所から使用場所まで運搬もしくは引き出して設置しなければならず、その設置作業には多くの時間と労力を要して使用勝手が悪いという課題があった。また、前述のように大がかりな支持構造を有する防潮専用パネルは格別に収納場所を確保しなければならないなど、その収納場所にも大きな制約が生じるという課題があった。
【０００５】
この発明は上記のような課題を解決するためになされたもので、構造物施設内外に既設の排水溝を利用可能で、かつ当該排水溝の蓋を兼ねた簡易構造の防潮板により、例えば大量降雨時の雨水等を前記排水溝に誘導することができると共に、その排水溝から構造物施設内部への浸水を簡単に防止することができ、防潮板収納場所も格別に必要としない排水溝蓋兼用の防潮構造を提供することを目的とする。
【課題を解決するための手段】
【０００６】
この発明に係る排水溝蓋兼用の防潮構造は、構造物施設内外に設けられた排水溝の開口部における溝幅方向の少なくとも片側壁部に回動可能に軸支されて当該排水溝の開口部を開閉する防潮板と、この防潮板を前記排水溝の開口縁部から立ち上がる回動起立位置で保持する開き止め部材とからなるものである。
【発明の効果】
【０００７】
この発明によれば、排水溝の開口部を閉塞する蓋を兼ねた防潮板を、前記排水溝の開口縁部から立ち上がる開放起立位置と排水溝閉塞位置とに回動可能な取付け構成として開放起立位置では開き止め部材で保持するように構成したので、大量降雨時などの際に前記防潮板を回動起立させて保持するだけで、前記排水溝の開口縁部から立ち上がる防潮板によって、雨水等が排水溝から構造物施設側に流れるのを堰き止めて排水溝内に誘導することができ、このため、大量降雨時などの際に既設の排水溝を利用して構造物施設内部への浸水を簡単に防止することができるという効果がある。また、前記防潮板は排水溝の蓋を兼ねているので、従来のように排水溝の蓋とは別の防潮専用パネルを用意する必要がなくなってコスト低減が図れるという効果がある。さらには、前述のように排水溝の蓋を兼ねる防潮板は、その収納場所を格別に配慮する必要が一切ないという効果がある。また、前記防潮板は、排水溝の施工時に付帯して据え付けたり、既設の排水溝に簡単な工事で容易に据え付けることができるという効果がある。
【発明を実施するための最良の形態】
【０００８】
実施の形態１．
図１はこの発明の実施の形態１による排水溝蓋兼用の防潮構造を示す概念的断面図、図２は図１中の防潮板を閉じた状態を示す断面図、図３（Ａ）は図１の右側面図、図３（Ｂ）は図３（Ａ）の平面図、図４は隣り合う防潮板間の止水構造を示す断面図である。
図１および図２において、１は構造物施設出入口付近などの構造物施設内外にコンクリートで施工されてモルタル仕上げされた排水溝であり、この排水溝１は両側内壁部に段部１ａを有する段付き凹状断面のＵ字溝からなっている。すなわち、前記排水溝１は、両側内壁部の段部１ａを境界として上部幅広溝部１ｂと下部幅狭溝部１ｃとを連続形成したＵ字溝となっている。このような段付き凹状断面の排水溝１において、上部幅広溝部１ｂおよび下部幅狭溝部１ｃの内壁面には金属板２ａ，２ｂが張設されている。
【０００９】
ここで、前記構造物施設とは、地下室、トンネル、地下道、地下駐車場、地下街、地下格納庫などの地下施設や半地下施設を含むとともに、ビル、マンション、住宅、店舗、倉庫などの地上施設のほか、屋外に設置されたエレベータ・エスカレータ・動く歩道などをも含むものである。要するに、前記構造物施設は、地下室、地下施設や半地下施設や地上施設の全て又はそれらの一部を複合したものを含むものである。
また、前記構造物施設内外とは、構造物施設の出入口近傍、構造物施設廻り、構造物施設の屋上出入口近傍、区画された敷地廻りなどを含み、構造物施設外に通じる構造物施設内の階段部・スロープなどを含めた通路全般をも含むことを意味するもので、前記排水溝１は構造物施設の出入口近くに設けられていることが望ましい。
【００１０】
このような排水溝１の上部幅広溝部１ｂには、その排水溝１の蓋を兼ねる防潮板３が回動開閉可能に嵌め込まれるようになっている。この防潮板３は平面長方形状をなして長手方向一側が、前記排水溝１の開口部（上部幅広溝部１ｂ）における溝幅方向の片側壁部にピンＰによって回動可能に軸支されている。したがって、前記ピンＰを支点として前記防潮板３を回動起立させると、当該防潮板３は排水溝１の開口部における溝幅方向の片側開口縁部（実施の形態１では図１に示すピンＰ側の金属板２ａ）から立ち上がるが、その立ち上げ側を実施の形態１では構造物施設側に設定している。
【００１１】
次に、前記防潮板３の詳細な構造について説明すると、図示例の防潮板３は、前記上部幅広溝部１ｂの溝幅に対応した幅寸法のパンチングメタルからなっており、このパンチングメタルの裏面に溶接等で張設されて当該パンチングメタルの開孔領域を部分的に閉塞する開孔閉塞板４を有している。この開孔閉塞板４は、前記防潮板３のピンＰを支点とした回動起立時における当該防潮板３の上側の開孔領域３ａを開孔状態のまま残して当該開孔領域３ａの下側の開孔領域を閉塞しているもので、その開孔閉塞領域３ｂが止水領域となって前記防潮板３の回動起立時に図１に示す止水高さＨを確保できるようにしてある。したがって、前記防潮板３は、回動起立時の上側に開孔領域３ａを有し、下側に開孔閉塞領域（止水領域）３ｂを有している。なお、前記開孔領域３ａは、前記防潮板３による排水溝１の閉蓋時に雨水等を排水溝１内に流入させるものである。
【００１２】
また、前記防潮板３の裏面には、幅方向両端側に配置されて長手方向に延びる端部補強部材５，６および幅方向中間部に配置されて長手方向に延びる中間補強部材７のそれぞれが溶接等により固着されており、前記防潮板３による排水溝１の閉蓋時に前記端部補強部材５，６が排水溝１の段部１ａ上に着座するようになっている。このような防潮板３における軸支ピンＰ側の端部補強部材５と、前記排水溝１の下部幅狭溝部１ｃにおける一側（前記端部補強部材５側）の金属板２ｂとの間には止水シート（止水部材）８が張設されている。さらに、前記排水溝１の下部幅狭溝部１ｃにおける他側（止水シート８の張設側とは反対側）の金属板２ｂと前記中間補強部材７との間には、前記防潮板３を回動起立位置に保持する屈曲・伸張可能な開き止め部材９が斜めに装架されている。
【００１３】
この開き止め部材９は中途部が屈曲可能なリンクレバーからなり、前記防潮板３の回動起立時に伸張状態となって当該防潮板３を回動起立位置に保持固定するもので、その開き止め部材９の中途部を人為的操作で屈曲させることにより、前記防潮板３を排水溝１の閉蓋位置に回動させることができるようになっている。そして、前記防潮板３による排水溝１の閉蓋時に屈曲した開き止め部材９は、図２に示すように、前記排水溝１の下部幅狭溝部１ｃ内に折畳収納されるようになっている。
【００１４】
以上のようにして排水溝１に取り付けられた防潮板３は、その複数枚が図３に示すように排水溝１の長手方向に沿って隣接配置されている。そして、各防潮板３の隣接端部には、図４に示すように互いに接離可能なゴムビード等の止水部材１０ａ，１０ｂが取り付けられている。これらの止水部材１０ａ，１０ｂは、隣り合う防潮板３が同一面状に保持されたときに当接して当該防潮板３間を封止し、かつ、隣り合う一方の防潮板３を回動させたときに前記止水部材１０ａ，１０ｂが互いに離れるようになっている。また、前記排水溝１の長手方向両端部の近傍には、回動起立時の防潮板３群における両サイドの防潮板３を沿わせる柱１１，１２が立設されている。これらの柱１１，１２には、前記防潮板３群の回動起立時における両サイドの防潮板３を当接させるためのパッキン（止水部材）１３，１４が取り付けられている。なお、前記防潮板３は、その表面から出没可能な開閉操作用の取手（図示せず）を有するものである。
【００１５】
次に動作について説明する。
図２に示すように、複数の防潮板３が排水溝１を閉じている通常の状態において、雨水等は前記各防潮板３の開孔領域３ａから排水溝１内に流入するが、大量降雨時に前記防潮板３を排水溝１の開放方向に回動させると、その防潮板３に追従して開き止め部材９が伸張方向に動作し、前記防潮板３の回動起立位置では前記開き止め部材９が最大伸張状態となって前記防潮板３が排水溝１の開口部における溝幅方向の構造物施設側縁部から立ち上がった起立位置に保持固定される。このようにして、排水溝１の蓋を兼ねる防潮板３が前記排水溝１の開口部の構造物施設側縁部から立ち上げ保持されることにより、大量降雨時に構造物施設側へ流れる雨水は、前記防潮板３の止水領域３ｂで堰き止められて排水溝１内に誘導され、構造物施設内部への浸水が防止される。
【００１６】
以上説明した実施の形態１によれば、排水溝１の開口部に当該排水溝１の蓋を兼ねる防潮板３を開閉回動可能にピンＰで軸支し、この防潮板３を前記排水溝１の開口部における溝幅方向の構造物施設側縁部から立ち上げて開き止め部材９で保持できるように構成したので、大量降雨時などの際に前記防潮板３を回動起立させるだけで、構造物施設側に流れる雨水等を前記防潮板３で堰き止めて排水溝１内に誘導することができ、このため、構造物施設内部への浸水を簡易に防止することができるという効果がある。また、前記防潮板３の立ち上げ保持状態では、当該防潮板３の下端部と排水溝１の壁部との間が止水シート８で封止されると共に、隣接起立する複数の防潮板３間がゴムビード等の止水部材１０ａ，１０ｂで、かつ前記複数の隣接防潮板３における両サイドの防潮板３と柱１１，１２との間がパッキン１３，１４でそれぞれ封止されるので、前記防潮板３の立ち上げ保持状態での十分な止水性能を確保することができるという効果がある。
【００１７】
また、前述のように排水溝１の蓋を兼ねる防潮板３は既設の排水溝１に取り付け施工することができるという効果がある。さらに、前記防潮板３はパンチングメタルからなって排水溝１の開口部閉塞時にはパンチグメタル裏面の開孔閉塞板４や補強部材５，６，７および開き止め部材９等が一切露出しないので、パンチングメタル全面の開孔（パンチング孔）群のみが表出した意匠的外観を呈するという効果がある。
【００１８】
実施の形態２．
図５はこの発明の実施の形態２による排水溝蓋兼用の防潮構造を示す断面図、図６は図５中の防潮板を閉じた状態を示す断面図であり、図１から図４と同一部分には同一符号を重複説明は省略する。
この実施の形態２では、前記実施の形態１における防潮板３を開いた状態において、大量降雨時の濁流で浸漬された排水溝１に幼児等の歩行者が落ちるのを防止するための安全対策（歩行者落下防止対策）を施し、その安全対策として、前記排水溝１の開口部（上部幅広溝部１ｂ）における防潮板３の軸支ピンＰと反対側の段部１ａ上に前記排水溝１の上端開口溝幅を狭くする落下防止部材１５を付加すると共に、前記防潮板３の回動自由端側の端部補強部材６（図１参照）を取り除くことで、その回動自由端側を前記落下防止部材１５上に当接支承させて排水溝１を閉塞する構成としたものである。
【００１９】
なお、前記落下防止部材１５は、パンチングメタルや格子状部材など通水可能な部材で構成することにより、閉じ位置の防潮板３の開孔領域３ａの孔が前記落下防止部材１５で遮られることのないようにしておくことで、通常の降雨時などにおいて、雨水等の流水を閉じ状態の防潮板３の開孔領域３ａから排水溝１内まで流入させるようにすることも可能である。
【００２０】
前述のように構成した実施の形態２によれば、防潮板３の開き止め部材９の屈曲・伸張動作を許容する範囲で排水溝１の上端開口溝幅を前記落下防止部材１５によって狭めることができるので、大量降雨時に防潮板３を開いて濁流で浸漬された状態の排水溝１であっても当該排水溝１に歩行者が落ち難くなって安全性が向上するという効果がある。
【００２１】
実施の形態３．
図７はこの発明の実施の形態３による排水溝蓋兼用の防潮構造を示す要部斜視図であり、図１から図４と同一部分には同一符号を付して重複説明は省略する。
この実施の形態３では、前記実施の形態２の落下防止部材１５に替わる歩行者落下防止対策として、前記排水溝１に通水性を有する落下防止用の内蓋１６Ａ，１６Ｂを嵌め込み保持させたものである。この実施の形態３においては、排水溝１の下部幅狭溝部１ｃにおける開口部両側の金属板２ｂに平行するレール状の内蓋支持部材１７を溶接等で固着し、この内蓋支持部材１７上に格子状の内蓋１６Ａ，１６Ｂを載置しておくように構成したものである。それらの内蓋１６Ａ，１６Ｂは、開き止め部材９と干渉しないように当該開き止め部材９の部位で複数に分割されて前記内蓋支持部材１７上に載置され、その載置状態では排水溝１の段部１ａと略同じ高さに保持されることにより、防潮板３の閉じ位置では当該防潮板３裏面の中間補強部材７と前記内蓋１６Ａ，１６Ｂとが干渉しないようになっている。
【００２２】
このように、排水溝１の開口側に格子状の内蓋１６Ａ，１６Ｂを嵌め込み保持させるように構成した実施の形態３によれば、大量降雨時の防潮板３開放時に排水溝１が濁流で浸漬された状態となっても、その排水溝１の開口側全域が内蓋１６Ａ，１６Ｂで塞がれていることにより、歩行者が前記排水溝１内に足を踏み外して落下するような危険性がなく、信頼性の高い安全性を確保できるという効果がある。しかも、前記内蓋１６Ａ，１６Ｂは開き止め部材９と干渉しないように当該開き止め部材９の部位で分割されて排水溝１の下部幅狭溝部１ｃ内の内蓋支持部材１７上に支持され、かつ防潮板３の閉じ位置では当該防潮板３裏面の中間補強部材７が前記排水溝１の上部幅広溝部１ｂ内に収められて前記中間補強部材７と内蓋１６Ａ，１６Ｂとは干渉しないので、防潮板３をスムーズに開閉させることができるという効果がある。
【００２３】
なお、前記内蓋１６Ａ，１６Ｂは、図７に示すような格子形状のものに特定されるものではなく、その他の例えばパンチングメタルなど、歩行者の体重に耐えられる強度を有する有孔平板部材であってもよく、この場合も同様の落下防止効果を期待できる。また、前記内蓋１６Ａ，１６Ｂは前記実施の形態２による落下防止部材１５と併用することも可能であり、この場合も同様の効果を期待できる。
【００２４】
実施の形態４．
前記実施の形態１から実施の形態３では、防潮板３を排水溝１の溝幅方向における構造物施設側の開口縁部で回動起立させるように構成したが、これとは反対側、すなわち排水溝１の溝幅方向の構造物施設側とは反対側の開口縁部で前記防潮板３を回動起立させるように構成してもよい。この場合であっても、構造物施設外側から構造物施設側に流れる雨水等を起立状態の前記防潮板３で堰き止めることができると共に、その防潮板３からのオーバーフロー水は排水溝１内に流落することにより、前記実施の形態１の場合と同様に構造物施設内部への浸水を防止できるという効果がある。
【００２５】
実施の形態５．
前記各実施の形態では、排水溝１の開口部における溝幅方向の片側縁部で防潮板３を開閉回動させる片開き式の構成としたが、前記排水溝１の溝幅方向の両側縁部に相対方向へ開閉回動可能な防潮板３を軸支した両開き式の構成としてもよい。この場合、前記排水溝１を溝幅方向に挟んだ位置で回動起立させる左右一対の防潮板３は、回動起立時の止水高さが同じ高さであってもよいが、構造物施設側の防潮板３よりも反構造物施設側の防潮板３の止水高さを低くすることが好ましい。
【００２６】
このように構成した実施の形態５によれば、構造物施設外側から構造物施設側に流れる雨水等を排水溝１の反構造物施設側の防潮板３で堰き止めると共に、当該防潮板３からのオーバーフロー水を排水溝１内に流落させることができ、かつ排水溝１内の流水が構造物施設側にオーバーフローするのを構造物施設側の防潮板３で防止することができるという効果がある。
【００２７】
なお、前記排水溝１の両端部での流水の廻り込みを防止するために当該排水溝１の端部縁廻りを囲むパッキンを設けることにより、いっそう効果的な止水性能を得ることができる。また、前記防潮板３はパンチングメタルに特定されるものではなく、全面が止水性能を有するものであってもよい。
【００２８】
なお、図１，図５，図７では、回動起立状態の防潮板３が直立するようにしているが、その防潮板３は、排水溝１が傾斜面に設けられている場合など斜めに起立するようにしてもよく、この場合も同様の防潮効果を得ることが可能である。また、前記排水溝１は平面一直線状のものでなくてよく、この場合も前記各実施の形態と同様の防潮構造とすることが可能である。
【図面の簡単な説明】
【００２９】
【図１】この発明の実施の形態１による排水溝蓋兼用の防潮構造を示す概念的断面図である。
【図２】図１中の防潮板を閉じた状態を示す断面図である。
【図３】図３（Ａ）は図１の右側面図、図３（Ｂ）は図３（Ａ）の平面図である。
【図４】隣り合う防潮板間の止水構造を示す断面図である。
【図５】この発明の実施の形態２による排水溝蓋兼用の防潮構造を示す断面図である。
【図６】図５中の防潮板を閉じた状態を示す断面図である。
【図７】この発明の実施の形態３による排水溝蓋兼用の防潮構造を示す要部斜視図である。
【符号の説明】
【００３０】
１  排水溝
１ａ  段部
１ｂ  上部幅広溝部
１ｃ  下部幅狭溝部
２ａ，２ｂ  金属板
３  防潮板
３ａ  開孔領域
３ｂ  開孔閉塞領域
４  開孔閉塞板
５，６端部補強部材
７  中間補強部材
８  止水シート（止水部材）
９  開き止め部材
１０ａ，１０ｂ  止水部材
１１，１２  柱
１３，１４  パッキン
１５  落下防止部材
１６Ａ，１６Ｂ  内蓋（落下防止部材）
Ｐ  ピン
【図１】
2006336384.tif 000003
【図２】
2006336384.tif 000004
【図３】
2006336384.tif 000005
【図４】
2006336384.tif 000006
【図５】
2006336384.tif 000007
【図６】
2006336384.tif 000008
【図７】
2006336384.tif 000009